【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
コンピューター・ネットワーク・システムであって、
紙テープ・ローラーと第１のプリント・ヘッドと第２のプリント・ヘッドとを有するＰＯＳプリンター、
を有し、
前記紙テープ・ローラーは紙テープの巻物を進めるか又は引き込み、
前記紙テープの巻物は第１の面と第２の面を有し、
前記第１のプリント・ヘッドは前記紙テープの巻物の第１の面に面し、
前記第２のプリント・ヘッドは前記紙テープの巻物の第２の面に面し、
前記システムは、
前記紙テープに前記紙テープの第１の面にレジ領収書及び前記紙テープの第２の面に広告コンテンツの両方を印刷する、前記第１のプリント・ヘッド及び前記第２のプリント・ヘッド及び前記ローラーへの信号を制御する制御部、及び
ＰＯＳ端末及びマーケティング・コンピューター、
を更に有し、
前記ＰＯＳプリンターは、前記ＰＯＳプリンターが購入取引のＥＯＴ信号を受信した後の特定時間の終了まで、前記ＰＯＳ端末又はＰＯＳコンピューターから前記プリンターへ送信されたデータに基づくＰＯＳでの前記購入取引のレジ領収書の印刷を保留するよう前記プリンターを制御するロジックを有する、
ことを特徴とするシステム。
【請求項２】
前記ＰＯＳプリンターは、前記ＰＯＳプリンターが前記ＥＯＴ信号を受信した後の前記特定時間の前に、前記プリンターが前記マーケティング・コンピューターから前記購入取引の印刷命令を受信した場合、前記ＰＯＳ端末又は前記ＰＯＳコンピューターの何れかから前記ＰＯＳプリンターへ送信された前記購入取引の購入取引データを前記ＰＯＳで印刷しないロジックを有する、
ことを特徴とする請求項１に記載のシステム。
【請求項３】
前記ＰＯＳプリンターは、前記ＰＯＳプリンターが前記ＥＯＴ信号を受信した後の前記特定時間の前に前記ＰＯＳプリンターが前記印刷命令を受信した場合、前記マーケティング・コンピューターから受信した前記購入取引の前記印刷命令を印刷するロジックを有する、
ことを特徴とする請求項２に記載のシステム。
【請求項４】
前記ＰＯＳプリンターは両面印刷を制御するロジックを有する、
ことを特徴とする請求項１に記載のシステム。
【請求項５】
コンピューター・ネットワーク・システムであって、
紙テープ・ローラーと第１のプリント・ヘッドと第２のプリント・ヘッドとを有するＰＯＳプリンター、
を有し、
前記紙テープ・ローラーは紙テープの巻物を進めるか又は引き込み、
前記紙テープの巻物は第１の面と第２の面を有し、
前記第１のプリント・ヘッドは前記紙テープの巻物の第１の面に面し、
前記第２のプリント・ヘッドは前記紙テープの巻物の第２の面に面し、
前記システムは、
前記紙テープに前記紙テープの第１の面にレジ領収書及び前記紙テープの第２の面に広告コンテンツの両方を印刷する、前記第１のプリント・ヘッド及び前記第２のプリント・ヘッド及び前記ローラーへの信号を制御する制御部、
を更に有し、
前記システムは、購入取引のレジ領収書のための残り領域を決定するロジック、
を有するシステム。
【請求項６】
前記システムは、
前記レジ領収書の前記残り領域を満たすマーケティング・コンテンツを決定するロジック、
を有する請求項５記載のシステム。
【請求項７】
コンピューター・ネットワーク・システムであって、
紙テープ・ローラーと第１のプリント・ヘッドと第２のプリント・ヘッドとを有するＰＯＳプリンター、
を有し、
前記紙テープ・ローラーは紙テープの巻物を進めるか又は引き込み、
前記紙テープの巻物は第１の面と第２の面を有し、
前記第１のプリント・ヘッドは前記紙テープの巻物の第１の面に面し、
前記第２のプリント・ヘッドは前記紙テープの巻物の第２の面に面し、
前記システムは、
前記紙テープに前記紙テープの第１の面にレジ領収書及び前記紙テープの第２の面に広告コンテンツの両方を印刷する、前記第１のプリント・ヘッド及び前記第２のプリント・ヘッド及び前記ローラーへの信号を制御する制御部、及び
前記ＰＯＳプリンターから受信した命令及びＰＯＳ端末から送信された命令に基づき又は前記ＰＯＳプリンターで受信された命令及びマーケティング・コンピューターから送信された命令に基づき、前記ＰＯＳプリンターは取引の取引情報を印刷すべきか否かを決定するロジック、
を更に有するシステム。
【請求項８】
コンピューター・ネットワーク・システムを作成する方法であって、
紙テープ・ローラーと第１のプリント・ヘッドと第２のプリント・ヘッドとを有するＰＯＳプリンターを設ける段階、
第１の面と第２の面を有する紙テープの巻物を進めるか又は引き込む前記紙テープ・ローラーを設ける段階、
前記紙テープの巻物の第１の面に面する前記第１のプリント・ヘッドを設ける段階、
前記紙テープの巻物の第２の面に面する前記第２のプリント・ヘッドを設ける段階；
前記紙テープに前記紙テープの第１の面にレジ領収書及び前記紙テープの第２の面に広告コンテンツの両方を印刷する、前記第１のプリント・ヘッド及び前記第２のプリント・ヘッド及び前記ローラーへの信号を制御する制御部を設ける段階、及び
前記ＰＯＳプリンターから受信した命令及びＰＯＳ端末から送信された命令に基づき又は前記ＰＯＳプリンターで受信された命令及びマーケティング・コンピューターから送信された命令に基づき、前記ＰＯＳプリンターは取引の取引情報を印刷すべきか否かを決定するロジックを設ける段階、
を有する方法。
【請求項９】
コンピューター・ネットワーク・システムの使用方法であって、
該システムは、
紙テープ・ローラーと第１のプリント・ヘッドと第２のプリント・ヘッドとを有するＰＯＳプリンター、
を有し、
前記紙テープ・ローラーは紙テープの巻物を進めるか又は引き込み、
前記紙テープの巻物は第１の面と第２の面を有し、
前記第１のプリント・ヘッドは前記紙テープの巻物の第１の面に面し、
前記第２のプリント・ヘッドは前記紙テープの巻物の第２の面に面し、
前記システムは、
前記紙テープに前記紙テープの第１の面にレジ領収書及び前記紙テープの第２の面に広告コンテンツの両方を印刷する、前記第１のプリント・ヘッド及び前記第２のプリント・ヘッド及び前記ローラーへの信号を制御する制御部、及び
前記ＰＯＳプリンターから受信した命令及びＰＯＳ端末から送信された命令に基づき又は前記ＰＯＳプリンターで受信された命令及びマーケティング・コンピューターから送信された命令に基づき、前記ＰＯＳプリンターは取引の取引情報を印刷すべきか否かを決定するロジック、
を更に有し、
当該方法は、
前記ＰＯＳプリンターから印刷する段階；及び
前記ＰＯＳ端末又はマーケティング・コンピューターから受信された命令に基づき、前記ＰＯＳプリンターは取引の取引情報を印刷すべきか否かを決定する段階；
を有する方法。
【請求項１０】
前記印刷する段階は、ＰＯＳでの購入取引の購入取引データを印刷する段階を有する、
ことを特徴とする請求項９に記載の方法。
【請求項１１】
前記印刷する段階は、マーケティング情報を印刷する段階を更に有する、
ことを特徴とする請求項９に記載の方法。
【請求項１２】
前記購入取引データの前記印刷は、紙テープの第１の面に前記購入取引データを印刷する段階、及び
前記紙テープの第２の面に前記マーケティング情報の少なくとも一部を印刷する段階、
を有する、
ことを特徴とする請求項１１に記載の方法。
【請求項１３】
コンピューター・ネットワーク・システム使用方法であって、
該システムは、
紙テープ・ローラーと第１のプリント・ヘッドと第２のプリント・ヘッドとを有するＰＯＳプリンター、
を有し、
前記紙テープ・ローラーは第１の面と第２の面を有する紙テープの巻物を進めるか又は引き込み、
前記第１のプリント・ヘッドは前記紙テープの巻物の第１の面に面し、
前記第２のプリント・ヘッドは前記紙テープの巻物の第２の面に面し、
前記システムは、
前記紙テープに前記紙テープの第１の面にレジ領収書及び前記紙テープの第２の面に広告コンテンツの両方を印刷する、前記第１のプリント・ヘッド及び前記第２のプリント・ヘッド及び前記ローラーへの信号を制御する制御部、
を更に有し、
当該方法は、前記ＰＯＳプリンターから印刷する段階；及び
残り領域を決定する段階；
を有する方法。
【請求項１４】
前記残り領域にマーケティング情報を印刷する段階、
を更に有する請求項１３記載の方法。
【請求項１５】
コンピューター・ネットワーク・システム使用方法であって、
該システムは、
紙テープ・ローラーと第１のプリント・ヘッドと第２のプリント・ヘッドとを有するＰＯＳプリンター、
を有し、
前記紙テープ・ローラーは第１の面と第２の面を有する紙テープの巻物を進めるか又は引き込み、
前記第１のプリント・ヘッドは前記紙テープの巻物の第１の面に面し、
前記第２のプリント・ヘッドは前記紙テープの巻物の第２の面に面し、
前記システムは、
前記紙テープに前記紙テープの第１の面にレジ領収書及び前記紙テープの第２の面に広告コンテンツの両方を印刷する、前記第１のプリント・ヘッド及び前記第２のプリント・ヘッド及び前記ローラーへの信号を制御する制御部、
を更に有し、
当該方法は、前記ＰＯＳプリンターから印刷する段階；及び
タイムアウト期間の終了まで又は前記プリンターがマーケティング・コンピューターから印刷命令を受信するまで、購入取引のレジ領収書の印刷を遅らせる段階；
を有する方法。
【請求項１６】
ＰＯＳプリンターであって、
紙テープ・ローラーと第１のプリント・ヘッドと第２のプリント・ヘッドとを有し、
前記紙テープ・ローラーは紙テープの巻物を進めるか又は引き込み、
前記紙テープの巻物は第１の面と第２の面を有し、
前記第１のプリント・ヘッドは前記紙テープの巻物の第１の面に面し、
前記第２のプリント・ヘッドは前記紙テープの巻物の第２の面に面し、
当該ＰＯＳプリンターは、
前記紙テープに前記紙テープの第１の面にレジ領収書及び前記紙テープの第２の面に広告コンテンツの両方を印刷する、前記第１のプリント・ヘッド及び前記第２のプリント・ヘッド及び前記ローラーへの信号を制御する制御部、及び
前記ＰＯＳプリンターが購入取引のＥＯＴ信号を受信した後の特定時間の終了まで、前記ＰＯＳ端末又はＰＯＳコンピューターから前記プリンターへ送信されたデータに基づくＰＯＳでの前記購入取引のレジ領収書の印刷を保留するよう前記プリンターを制御するロジック、
を有するＰＯＳプリンター。
【請求項１７】
前記ＰＯＳプリンターは、前記ＰＯＳプリンターが前記ＥＯＴ信号を受信した後の前記特定時間の前に、前記プリンターが前記マーケティング・コンピューターから前記購入取引の印刷命令を受信した場合、前記ＰＯＳ端末又は前記ＰＯＳコンピューターの何れかから前記ＰＯＳプリンターへ送信された前記購入取引の購入取引データを前記ＰＯＳで印刷しないロジックを有する、
ことを特徴とする請求項１６に記載のＰＯＳプリンター。
【請求項１８】
前記ＰＯＳプリンターは、前記ＰＯＳプリンターが前記ＥＯＴ信号を受信した後の前記特定時間の前に前記ＰＯＳプリンターが前記印刷命令を受信した場合、前記マーケティング・コンピューターから受信した前記購入取引の前記印刷命令を印刷するロジックを有する、請求項１７記載のＰＯＳプリンター。
【請求項１９】
前記ＰＯＳプリンターは両面印刷を制御するロジックを有する、
ことを特徴とする請求項１６に記載のＰＯＳプリンター。
【請求項２０】
ＰＯＳプリンターであって、
紙テープ・ローラーと第１のプリント・ヘッドと第２のプリント・ヘッドとを有し、
前記紙テープ・ローラーは紙テープの巻物を進めるか又は引き込み、
前記紙テープの巻物は第１の面と第２の面を有し、
前記第１のプリント・ヘッドは前記紙テープの巻物の第１の面に面し、
前記第２のプリント・ヘッドは前記紙テープの巻物の第２の面に面し、
当該ＰＯＳプリンターは、
前記紙テープに前記紙テープの第１の面にレジ領収書及び前記紙テープの第２の面に広告コンテンツの両方を印刷する、前記第１のプリント・ヘッド及び前記第２のプリント・ヘッド及び前記ローラーへの信号を制御する制御部、及び
購入取引のレジ領収書の残り領域を決定するロジック、
を更に有するＰＯＳプリンター。
【請求項２１】
前記レジ領収書の前記残り領域を満たすマーケティング・コンテンツを決定するロジック、
を更に有する請求項２０記載のＰＯＳプリンター。
【請求項２２】
ＰＯＳプリンターであって、
紙テープ・ローラーと第１のプリント・ヘッドと第２のプリント・ヘッドとを有し、
前記紙テープ・ローラーは紙テープの巻物を進めるか又は引き込み、
前記紙テープの巻物は第１の面と第２の面を有し、
前記第１のプリント・ヘッドは前記紙テープの巻物の第１の面に面し、
前記第２のプリント・ヘッドは前記紙テープの巻物の第２の面に面し、
当該ＰＯＳプリンターは、
前記紙テープに前記紙テープの第１の面にレジ領収書及び前記紙テープの第２の面に広告コンテンツの両方を印刷する、前記第１のプリント・ヘッド及び前記第２のプリント・ヘッド及び前記ローラーへの信号を制御する制御部、及び
当該ＰＯＳプリンターは、取引の取引情報を、前記ＰＯＳプリンターで受信した命令及びＰＯＳ端末から送信された命令に基づき印刷すべきか又は前記ＰＯＳプリンターで受信された命令及びマーケティング・コンピューターから送信された命令に基づき印刷すべきかを決定するロジック、
を更に有するＰＯＳプリンター。
【請求項２３】
ＰＯＳプリンターを作成する方法であって、
該ＰＯＳプリンターは、紙テープ・ローラーと第１のプリント・ヘッドと第２のプリント・ヘッドとを有し、
当該方法は、
第１の面と第２の面を有する紙テープの巻物を進めるか又は引き込む前記紙テープ・ローラーを設ける段階、
前記紙テープの巻物の第１の面に面する前記第１のプリント・ヘッドを設ける段階、
前記紙テープの巻物の第２の面に面する前記第２のプリント・ヘッドを設ける段階、
前記紙テープに前記紙テープの第１の面にレジ領収書及び前記紙テープの第２の面に広告コンテンツの両方を印刷する、前記第１のプリント・ヘッド及び前記第２のプリント・ヘッド及び前記ローラーへの信号を制御する制御部を設ける段階、及び
取引の取引情報を、前記ＰＯＳプリンターで受信した命令及びＰＯＳ端末から送信された命令に基づき印刷すべきか又は前記ＰＯＳプリンターで受信された命令及びマーケティング・コンピューターから送信された命令に基づき印刷すべきかを決定するロジックを設ける段階、
を有する方法。
【請求項２４】
ＰＯＳプリンターを用いて印刷する方法であって、
該ＰＯＳプリンターは、紙テープ・ローラーと第１のプリント・ヘッドと第２のプリント・ヘッドとを有し、
前記紙テープ・ローラーは、第１の面と第２の面を有する紙テープの巻物を進めるか又は引き込み、
前記第１のプリント・ヘッドは、前記紙テープの巻物の第１の面に面し、
前記第２のプリント・ヘッドは、前記紙テープの巻物の第２の面に面し、
前記ＰＯＳプリンターは、
前記紙テープに前記紙テープの第１の面にレジ領収書及び前記紙テープの第２の面に広告コンテンツの両方を印刷する、前記第１のプリント・ヘッド及び前記第２のプリント・ヘッド及び前記ローラーへの信号を制御する制御部を設ける段階、及び
前記ＰＯＳプリンターで受信した命令及びＰＯＳ端末から送信された命令に基づき取引の取引情報を印刷すべきか又は前記ＰＯＳプリンターで受信された命令及びマーケティング・コンピューターから送信された命令に基づき該取引情報を印刷すべきかを決定するロジック、
を更に有し、
当該方法は、
前記ロジックを用いて前記取引の取引情報を印刷するか否かを決定する段階；及び
前記取引情報を印刷する段階；
を有する方法。
【請求項２５】
前記印刷する段階は、ＰＯＳでの購入取引の購入取引データを前記ＰＯＳで印刷する段階を有する、
ことを特徴とする請求項２４に記載の方法。
【請求項２６】
マーケティング情報を印刷する段階、
を更に有する請求項２４記載の方法。
【請求項２７】
紙テープの第１の面に前記購入取引データを印刷する段階、及び
前記紙テープの第２の面に前記マーケティング情報の少なくとも一部を印刷する段階、
を更に有する請求項２５に記載の方法。
【請求項２８】
ＰＯＳプリンターを用いて印刷する方法であって、
当該ＰＯＳプリンターは、
紙テープ・ローラーと第１のプリント・ヘッドと第２のプリント・ヘッドと、
を有し、
前記紙テープ・ローラーは紙テープの巻物を進めるか又は引き込み、
前記紙テープの巻物は第１の面と第２の面を有し、
前記第１のプリント・ヘッドは前記紙テープの巻物の第１の面に面し、
前記第２のプリント・ヘッドは前記紙テープの巻物の第２の面に面し、
当該ＰＯＳプリンターは、
前記紙テープに前記紙テープの第１の面にレジ領収書及び前記紙テープの第２の面に広告コンテンツの両方を印刷する、前記第１のプリント・ヘッド及び前記第２のプリント・ヘッド及び前記ローラーへの信号を制御する制御部、及び
購入取引のレジ領収書の残り領域を決定するロジック、
を更に有し、
当該方法は：
前記ロジックを用い購入取引のレジ領収書の残り領域を決定する段階；
前記ＰＯＳプリンターから前記レジ領収書を印刷する段階；及び
前記残り領域にマーケティング情報を印刷する段階；
を有する方法。
【請求項２９】
ＰＯＳプリンターの使用方法であって、
当該ＰＯＳプリンターは：
紙テープ・ローラーと第１のプリント・ヘッドと第２のプリント・ヘッドと、
を有し、
前記紙テープ・ローラーは第１の面と第２の面を有する紙テープの巻物を進めるか又は引き込み、
前記第１のプリント・ヘッドは前記紙テープの巻物の第１の面に面し、
前記第２のプリント・ヘッドは前記紙テープの巻物の第２の面に面し、
当該ＰＯＳプリンターは：
前記紙テープに前記紙テープの第１の面にレジ領収書及び前記紙テープの第２の面に広告コンテンツの両方を印刷する、前記第１のプリント・ヘッド及び前記第２のプリント・ヘッド及び前記ローラーへの信号を制御する制御部、
を更に有し、
当該方法は：
（１）タイムアウト期間の終了又は（２）前記ＰＯＳプリンターがマーケティング・コンピューターから印刷命令を受信するまで、前記ＰＯＳプリンターによる購入取引のレジ領収書の印刷を遅らせる段階；及び
次に前記ＰＯＳプリンターから前記レジ領収書を印刷する段階；
を有する方法。